(57)【要約】【課題】本発明が解決しようとする課題は、従来の製造方法では気泡が抜けにくい部位においても、気泡が残らず、コンクリート製品表面に気泡痕のくぼみがほとんどない、すなわち補修をほとんど必要としないコンクリート製品の製造方法を提供する。【解決手段】外型枠と内型枠から構成される型枠を用いるコンクリート製品の製造方法において、前記外型枠中にコンクリートを打設し、前記打設されたコンクリート中に内型枠を沈設することを特徴とするコンクリートの製造方法。【選択図】　　　図２
2004034377.tif 000002
【特許請求の範囲】
【請求項１】
外型枠と内型枠から構成される型枠を用いるコンクリート製品の製造方法において、前記外型枠中にコンクリートを打設し、前記打設されたコンクリート中に内型枠を沈設することを特徴とするコンクリート製品の製造方法。
【請求項２】
前記外型枠中にコンクリートを打設し、さらに、前記外型枠に振動を与え、予め気泡を除去した後、前記打設されたコンクリート中に内型枠を沈設することを特徴とする請求項１記載のコンクリート製品の製造方法。
【請求項３】
前記打設されたコンクリート中に内型枠を沈設時、内型枠を振動及び／傾斜させながら沈設することを特徴とする請求項２記載のコンクリート製品の製造方法。
【発明の詳細な説明】
【０００１】
【発明の属する技術分野】
本発明は、ボックスカルバートや側溝等の各種コンクリート製品の製造方法に関するものである。
【０００２】
【従来の技術】
ボックスカルバートのような大型コンクリートブロック製品は、枠組みした型枠にコンクリートを打設して製造するのが普通である。従来の製造方法は、製品の外形寸法に対応する外型枠および外型枠内に内型枠を配置し、型枠を組み立て、外型枠と内型枠で構成される空間にコンクリートを充填した後、または充填しながら型枠に振動を加えるか又は振動と共に型枠を傾斜させて、コンクリート中に含有する気泡を脱泡していた。
【０００３】
【発明が解決しようとする課題】
しかし、このような従来の製造方法では、予め枠組みした型枠にコンクリートを投入するので、コンクリート投入時に、周辺空気を巻き込み、コンクリートには大小さまざまな多くの気泡が含有されることになり、型枠を傾斜させたり、型枠に振動を加えても気泡を確実に取り除くことは困難であった。特に外型枠と内型枠に囲まれた底部の内型枠の底板表面に付着した気泡や、補強鉄筋に付着した気泡は、振動や傾斜を加えても容易に大気中へ抜けず、そのまま型枠表面に付着してコンクリート内に残る。これは外型枠と内型枠に囲まれた底部においては、上方が開放されておらず、大気と接触する面積がほとんどないので、気泡が大気中へ抜けにくいためと考えられる。また、側壁部においても下部にある気泡は上昇してコンクリート表面に達するまでには距離があり、大気中に抜けにくい。コンクリート硬化後これらの気泡痕はコンクリート表面にくぼみとなって残る。本発明が解決しようとする課題は、従来の製造方法では気泡が抜けにくい部位においても、気泡が残らず、コンクリート製品表面に気泡痕のくぼみがほとんどない、すなわち補修をほとんど必要としないコンクリート製品の製造方法を提供することを目的とする。
【０００４】
【課題を解決するための手段】
上記目的を達成するために、本発明のコンクリート製品の製造方法においては、従来の製造方法とはまったく異なり、枠組みした型枠にコンクリートを流し込むのではなく、逆に、フレッシュコンクリート中に型枠を沈設するほうが気泡を除去しやすいとの知見を得て、本発明を完成した。すなわち、本発明は、外型枠と内型枠から構成される型枠を用いるコンクリート製品の製造方法において、前記外型枠中にコンクリートを打設し、前記打設されたコンクリート中に内型枠を沈設することを特徴とするコンクリート製品の製造方法を提供する。
【０００５】
本発明において、好適には、前記外型枠中にコンクリートを打設し、さらに、前記外型枠に振動を与え、予め気泡を除去した後、前記打設されたコンクリート中に内型枠を沈設することが望ましい。
【０００６】
また、より好適には、前記打設されたコンクリート中に内型枠を沈設時、内型枠を振動及び／傾斜させながら沈設することが望ましい。
【０００７】
【発明の実施の形態】
以下に本発明の具体的な実施形態を図面に基づいて詳細に説明する。図１〜４は本発明のコンクリート製品の製造方法の各工程を示す概略図である。図１〜４において、１は外型枠、２は前記外型枠１内に打設されたコンクリート、３はコンクリート２中の気泡、４は内型枠である。図１は外型枠１中にコンクリート２を打設した図である。本発明では外型枠１と内型枠４を予め組み立てて、外型枠１と内型枠４で構成される空間にコンクリート２を充填するのではなく、外型枠１内に所定量のコンクリート２を打設した後、内型枠４を前記コンクリート２中に沈設し、所定の位置に設置する。所定量のコンクリートとは、当該コンクリート製品の製造に必要なコンクリートの容量で、予め計算により求められたコンクリート量である。外型枠１内にコンクリート２を打設するとコンクリート２は外型枠１の底面にそって浅く広がる。コンクリート２打設時に巻き込んだ気泡３は、コンクリート２が外型枠１の底面に沿って広がるので、大気との接触面積が大きくなり、またコンクリート２の深さが浅くなるので、気泡３は容易に大気中に抜ける。特に流動性の高いコンクリート２の場合は、外型枠１中にコンクリート２を打設するだけで、ほとんどの気泡３が除去される。流動性の低いコンクリート２の場合は、外型枠１中にコンクリート２を打設するだけでは、コンクリート２中の気泡３は完全には除去されない場合があり、コンクリート２中に残留する可能性があるので、外型枠１に振動を付与して、さらに気泡２を除去することが望ましい。外型枠１に振動を付与する手段については特に限定されず、振動を付与できればどのような手段でもよい。図１において、振動付与手段は図示していない。
【０００８】
図２は外型枠１中に打設されたコンクリート２中に内型枠４を沈設する工程を示す図である。図２において４は内型枠であり、５は内型枠の表面に配筋された補強鉄筋である。６は内型枠４を保持し、外型枠１内に打設されたコンクリート２中に沈設するための保持具である。内型枠４の表面に配筋された補強鉄筋５はコンクリート製品の大きさ、用途等によって補強が必要な場合とそうでない場合があり、特に必須とされるわけではない。また、補強鉄筋５は必ずしも内型枠４の表面に配筋する必要はなく、外型枠１の内壁面に配筋してもよい。内型枠４は前記保持具６により保持され、コンクリート２中に静かに沈設される。この時、コンクリート２の流動性により、流動性が低いコンクリート２の場合は適宜外型枠１に適当な振動を付与し、内型枠４表面や補強鉄筋５に付着して巻き込まれた気泡３を除去することが望ましい。図２において、外型枠１に振動を付与する手段については図示しないが公知のどのような手段を用いても良い。
【０００９】
図３は外型枠１中に打設されたコンクリート２中に内型枠４を沈設する工程において内型枠４を傾斜させながら沈設する方法を示す図である。内型枠４を外型枠１中に打設されたコンクリート２中に沈設するに際して、保持具６により内型枠４を傾斜させながらコンクリート２中に沈設すると、気泡３が傾斜面に沿って上昇しやすくなり、内型枠４の表面又は補強鉄筋５の表面に付着した気泡３が除去されやすい。
【００１０】
図４は外型枠１内のコンクリート２中に内型枠４を沈設完了後、型枠全体に傾斜を付与し、さらに残留気泡３を除去する工程を示す図である。図４において、７は型枠全体を載置し、型枠全体に傾斜を付与する可傾式台である。可傾式台７により傾斜を与えることにより、内型枠４表面又は補強鉄筋５の表面に付着した気泡が傾斜面に沿って上昇しやすくなる。このとき、外型枠１に傾斜だけでなく振動を付与するとより気泡が除去されやすい。
【００１１】
従来のコンクリート製品の製造方法では、予め外型枠と内型枠で枠組みを作り、外型枠と内型枠で構成される空間にコンクリートを振動、傾斜を加えながら打設していた。しかし、この従来のコンクリート製品の製造方法では、コンクリート打設時に巻き込まれた気泡が型枠表面や補強鉄筋に付着して容易に大気中に抜けなかった。本発明のコンクリート製品の製造方法においては、予め外型枠１中に打設されたコンクリート２中の気泡３を除いておき、この気泡３が除かれた状態のコンクリート２中に内型枠４を沈めるので、コンクリート２中の気泡３は内型枠４に付着して巻き込まれた気泡３のみとなる。さらに内型枠４沈設時に巻き込まれる前記気泡３は、型枠全体に傾斜及び／又は振動を加えることにより除去される。したがって内型枠３がコンクリート２中に沈設された段階ではすでにほとんどの気泡５が除去されているが、沈設後も傾斜及び／又は振動を加えることにより確実に気泡５を除去できる。
【００１２】
【発明の効果】
したがって本発明のコンクリート製品の製造方法によれば、予めコンクリート中に含有する気泡を抜いておき、内型枠挿入時に巻き込まれる気泡についても、内型枠を振動および／または傾斜させながら沈設することにより内型枠表面にそって浮上させ、大気中に抜きながら内型枠を徐々に沈めていくので、コンクリート中の気泡はほとんど除去することができる。また、従来気泡を取り除くことが困難であった外型枠と内型枠で挟まれた底部の気泡、特に底部の型枠表面や補強筋の表面に付着した気泡をも除去することができる。したがって表面に気泡痕が残らず、くぼみ等のない滑らかな表面を有するコンクリート製品を得ることができる。
【図面の簡単な説明】
【図１】外型枠にコンクリートを打設する工程を示す概略図である。
【図２】打設されたコンクリート中に内型枠を沈設する工程を示す概略図である。
【図３】打設されたコンクリート中に内型枠を沈設する別の方法を示す概略図である。
【図４】型枠に傾斜を付与する工程を示す概略図である。
【符号の説明】
１　　外型枠
２　　コンクリート
３　　気泡
４　　内型枠
５　　補強鉄筋
６　　保持具
７　　可傾式台
【図１】
2004034377.tif 000003
【図２】
2004034377.tif 000004
【図３】
2004034377.tif 000005
【図４】
2004034377.tif 000006